(57)【要約】【課題】レピータを介して接続された無線通信装置の通信制限を段階的に設定する。【解決手段】各レピータ２Ａ〜２Ｄの配下の無線通信装置１Ａ〜１Ｆの識別情報を記憶する管理サーバＳは、さらに、複数のレピータ２Ａ〜２Ｄをまたいだ通信を禁止させるための第１のブラックリストが記憶されている。この第１のブラックリストに識別符号が書き込まれた無線通信装置１Ａは、複数のレピータ２Ａ〜２Ｄをまたいだ他の無線通信機端末１Ｃ〜１Ｆとの通信が禁止される。レピータ２Ａ〜２Ｄには、折り返し通信を禁止するための第２のブラックリストが記憶される。第１のブラックリストとレピータ２Ｄの第２のブラックリストに識別符号が書き込まれた無線通信装置１Ｆは、レピータ２Ｄでの折り返し通信も禁止される。【選択図】図１
2007295133.tif 000002
【特許請求の範囲】
【請求項１】
異なる領域に設置されると共に互いに接続され、配置された領域内にある配下の無線端末の識別情報をそれぞれ記憶する複数の中継器と、前記複数の中継器に接続され、前記複数の中継器の配下の無線端末がそれぞれどの中継器の配下になっているかを示す位置情報を把握する管理サーバとを備え、前記各中継器は、配下の無線端末間の通信を該各中継器に記憶している識別情報を用いて中継し、配下の無線端末と他の中継器の配下の無線端末との間の通信を行う場合には、該他の中継器の配下の無線端末の前記位置情報を前記管理サーバとの通信で受信し、該位置情報に基づいて中継する通信システムであって、
前記管理サーバは、
前記複数の中継器の配下の無線端末のうちの予め指定された第１の指定無線端末の情報を記憶する第１の記憶手段と、
前記第１の指定無線端末と当該第１の指定無線端末を配下に持たない他の中継器の配下の無線端末との間の通信を、前記第１の記憶手段に記憶された情報に基づいて禁止する第１の禁止手段と、
を備えることを特徴とする通信システム。
【請求項２】
前記各中継器は、
配下の無線端末のうちの予め指定された第２の指定無線端末の情報を記憶する第２の記憶手段と、
前記第２の指定無線端末と前記複数の中継器の配下の複数の無線端末のうちの当該第２の指定無線端末以外の無線端末との間の通信を、前記第２の記憶手段に記憶された情報に基づいて禁止する第２の禁止手段とを、
それぞれ備えることを特徴とする請求項１に記載の通信システム。
【請求項３】
異なる領域に設置されると共に互いに接続され、配置された領域内にある配下の無線端末の識別情報をそれぞれ記憶する複数の中継器と、前記複数の中継器に接続され、前記複数の中継器の配下の無線端末がそれぞれどの中継器の配下になっているかを示す位置情報を把握する管理サーバとを備え、前記各中継器は、配下の無線端末間の通信を該各中継器に記憶している識別情報を用いて中継し、配下の無線端末と他の中継器の配下の無線端末との間の通信を行う場合には、該他の中継器の配下の無線端末の前記位置情報を前記管理サーバとの通信で受信し、該位置情報に基づいて中継する通信制御方法であって、
前記管理サーバに、予め、前記複数の中継器の配下の無線端末のうちの指定された第１の指定無線端末の情報を記憶する第１の記憶処理と、
前記第１の指定無線端末と当該第１の指定無線端末を配下に持たない他の中継器の配下の無線端末との間の通信を、前記第１の記憶処理で記憶した情報に基づいて禁止する第１の禁止処理と、
を含むことを特徴とする通信制御方法。
【請求項４】
前記各中継器で、予め配下の無線端末のうちの指定された第２の指定無線端末の情報を記憶する第２の記憶処理と、
前記各中継器で、前記第２の指定無線端末と前記複数の中継器の配下の複数の無線端末のうちの当該第２の指定無線端末以外の無線端末との間の通信を、前記第２の記憶処理で記憶した情報に基づいて禁止する第２の禁止処理と、
を含むことを特徴とする請求項３に記載の通信制御方法。
【発明の詳細な説明】
【技術分野】
【０００１】
本発明は、通信システム及び通信制御方法に関する。
【背景技術】
【０００２】
中継器であるレピータを介して無線端末同士の通信を行わせるシステムがある。特定小電力通信システムの場合、１台のレピータでカバーできる範囲（数百メートルから数キロメートル）は狭いので、仮に悪意を持った人間に無線端末が盗難されても、リピータを介した妨害電波が届く範囲に狭く、被害は比較的少ない。
【０００３】
しかしながら、複数のレピータを有線で接続し、複数のレピータのカバーする範囲が増大すると、複数のレピータが配下とする無線端末の数も増加し、被害が大きくなる。そこで、妨害電波を発生するおそれのある無線端末をブラックリストに登録して、ブラックリストに登録された無線端末の通信を無効にする技術や、妨害電波を発生するおそれのある無線端末の機能を停止させるという方法が考えられる。
【０００４】
下記特許文献１には、ブラックリストを用いる通信システムが示されている。特許文献２には、無線端末の機能を停止させる方法が示されている。
【特許文献１】特開平０７−２３４６０号公報
【特許文献２】特開平１０−２３５４０号公報
【０００５】
特許文献１の通信システムでは、不正な非加入端末の装置番号が個々の交換局にビジター用ブラックリストとして登録され、交換局が端末からの発信要求を受信すると、まず、ビジター用ブラックリストで検索し、その端末に一致する番号がビジター用ブラックリストに存在していれば、接続を切断する。発信要求を発信した端末に一致する番号がビジター用ブラックリストにない場合、ローミング処理の段階で、ホーム局でブラックリストから不正な非加入端末であるか否かを判定し、不正な非加入端末であるとき、交換局のビジター用ブラックリストに登録する。
【０００６】
特許文献２の通信システムでは、無線端末から他の特定の無線端末に対して回線使用禁止要求信号を送出すると、特定の無線端末の記憶部が、回線使用禁止要求信号を受信したことを記憶し、以降に、送受信する機能が停止する。
【発明の開示】
【発明が解決しようとする課題】
【０００７】
前述の特許文献１の技術では、不正な非加入端末の番号が交換局（中継局）のビジター用ブラックリストに登録されて不正な非加入端末の接続が切断される。しかしながら、不正な非加入端末等であっても、同じ交換局に収容される他の端末との通信を可能にしたい場合があるが、特許文献１の技術ではそれができず、同じ交換局の配下にある他の端末との通信を行うことができない。
【０００８】
また、不正な非加入端末であることを判定するために、交換局のビジター用ブラックリストによる判定とホーム局のブラックリストによる判定の２段階の判定を行う必要があり、合理的でない。
【０００９】
前述の特許文献２の通信システムでは、回線使用禁止要求信号を用いて特定の無線端末の機能を完全に停止させるので、特定の無線端末と他のすべての端末との通信ができない。また、回線使用禁止要求信号が悪用されると、正常な無線端末の機能も停止する危険性がある。
【００１０】
本発明は、無線端末の程度に応じて段階的に通信の制限が実現できる通信システム及び通信制御方法を提供することを目的とする。
【課題を解決するための手段】
【００１１】
上記目的を達成するために、本発明の第１の観点に係る通信システムは、
異なる領域に設置されると共に互いに接続され、配置された領域内にある配下の無線端末の識別情報をそれぞれ記憶する複数の中継器と、前記複数の中継器に接続され、前記複数の中継器の配下の無線端末がそれぞれどの中継器の配下になっているかを示す位置情報を把握する管理サーバとを備え、前記各中継器は、配下の無線端末間の通信を該各中継器に記憶している識別情報を用いて中継し、配下の無線端末と他の中継器の配下の無線端末との間の通信を行う場合には、該他の中継器の配下の無線端末の前記位置情報を前記管理サーバとの通信で受信し、該位置情報に基づいて中継する通信システムであって、
前記管理サーバは、
前記複数の中継器の配下の無線端末のうちの予め指定された第１の指定無線端末の情報を記憶する第１の記憶手段と、
前記第１の指定無線端末と当該第１の指定無線端末を配下に持たない他の中継器の配下の無線端末との間の通信を、前記第１の記憶手段に記憶された情報に基づいて禁止する第１の禁止手段と、
を備えることを特徴とする。
【００１２】
なお、前記各中継器は、
配下の無線端末のうちの予め指定された第２の指定無線端末の情報を記憶する第２の記憶手段と、
前記第２の指定無線端末と前記複数の中継器の配下の複数の無線端末のうちの当該第２の指定無線端末以外の無線端末との間の通信を、前記第２の記憶手段に記憶された情報に基づいて禁止する第２の禁止手段とを、それぞれ備えてもよい。
【００１３】
上記目的を達成するために、本発明の第２の観点に係る通信制御方法は、
異なる領域に設置されると共に互いに接続され、配置された領域内にある配下の無線端末の識別情報をそれぞれ記憶する複数の中継器と、前記複数の中継器に接続され、前記複数の中継器の配下の無線端末がそれぞれどの中継器の配下になっているかを示す位置情報を把握する管理サーバとを備え、前記各中継器は、配下の無線端末間の通信を該各中継器に記憶している識別情報を用いて中継し、配下の無線端末と他の中継器の配下の無線端末との間の通信を行う場合には、該他の中継器の配下の無線端末の前記位置情報を前記管理サーバとの通信で受信し、該位置情報に基づいて中継する通信制御方法であって、
前記管理サーバに、予め、前記複数の中継器の配下の無線端末のうちの指定された第１の指定無線端末の情報を記憶する第１の記憶処理と、
前記第１の指定無線端末と当該第１の指定無線端末を配下に持たない他の中継器の配下の無線端末との間の通信を、前記第１の記憶処理で記憶した情報に基づいて禁止する第１の禁止処理と、
を含むことを特徴とする。
【００１４】
なお、前記各中継器で、予め配下の無線端末のうちの指定された第２の指定無線端末の情報を記憶する第２の記憶処理と、
前記各中継器で、前記第２の指定無線端末と前記複数の中継器の配下の複数の無線端末のうちの当該第２の指定無線端末以外の無線端末との間の通信を、前記第２の記憶処理で記憶した情報に基づいて禁止する第２の禁止処理とを、含んでもよい。
【発明の効果】
【００１５】
本発明によれば、情報が第１の記憶手段に記憶されて他の中継器の配下の無線端末との間の通信が禁止された第１の指定無線端末であっても、同じ中継器の配下の無線端末との間の通信を可能にすることができる。
【発明を実施するための最良の形態】
【００１６】
以下、図面に基づき、本発明の実施の形態について詳細に説明する。
図１は、本発明の実施形態に係る無線通信システム１０を示す構成図である。
例えば無線通信システム１０は、図１に示すように、複数の中継器であるレピータ２Ａ，２Ｂ，２Ｃ，２Ｄを備えている。レピータ２Ａ，２Ｂは、ハブ３Ａを介してネットワークＮに接続され、レピータ２Ｃ，２Ｄは、ハブ３Ｂを介してネットワークＮに接続されている。無線通信システム１０には、複数の無線端末である無線通信装置１Ａ，１Ｂ，１Ｃ，１Ｄ，１Ｅ，１Ｆがある。また、ネットワークＮに管理サーバＳがハブ３Ａを介して接続されている。
【００１７】
ネットワークＮは、例えば、ＬＡＮ（Local Area Network）である。ネットワークＮは、その他、回線交換網、パケット交換網、インターネット、専用線網であってもよい。また、ネットワークＮは有線に限らず、例えば無線ＬＡＮなどの無線通信網でもよい。
【００１８】
無線通信システム１０では、無線通信装置１（１Ａ〜１Ｆ）同士の通信は、レピータ２（２Ａ，２Ｂ，２Ｃ，２Ｄ）を介して行われる。例えば、図１の無線通信装置１Ａと１Ｂは、レピータ２Ａを介して通信を行う。また、無線通信システム１０では、異なるレピータ２の通信範囲（レピータエリア）に属する無線通信装置１を配下とし、配下の無線通信装置１同士の通信は、ネットワークＮを経由して行われる。例えば、無線通信装置１Ａと１Ｄは、レピータ２Ａ、ネットワークＮ及びレピータ２Ｃを経由して通信を行う。
【００１９】
無線通信装置（以下、子機と略称する）１Ａ〜１Ｆは、それらを配下とするレピータ２Ａ〜２Ｄと無線で通信する。子機１Ａ〜１Ｆからレピータ２Ａ〜２Ｄへの通信をアップリンク、レピータ２から子機１への送信をダウンリンクという。アップリンクとダウンリンクは、例えば、異なる周波数で同時に送信される。アップリンクとダウンリンクは、時間分割で２重に送信されてもよい。
【００２０】
１つのレピータ２において、アップリンクとダウンリンクを１組として同時に通信できるチャネル数は１又は２以上である。同時通信チャネル数は、レピータ２の構成による。なお、子機１Ａ〜１Ｆは、図１では移動局のように記載されているが、固定局の場合を含む。レピータ２の同時通信チャネルが１組の場合は、子機１の通信は半二重通信である。レピータ２の同時通信チャネルが２組以上で、子機１が同時に送受信できれば、全二重通信を行う構成も可能である。
【００２１】
図２は、子機１の構成例を示すブロック図である。
図２に示す子機１は、送信機として機能する場合、子機１を使用するユーザの通話音に基づく音声信号、又はデータ通信用のデータ信号をレピータ２の受信機に向かって送信する。一方、子機１は、受信機として機能する場合、レピータ２を経由して子機１に送信された通話音に基づく音声信号、又はデータ通信用のデータ信号を受信する。
【００２２】
子機１は、図２に示すように送信機能を実現するために、アンテナ１１Ａと、送受信切換部１１と、送信部１２と、ベースバンド処理部１３と、増幅及びＡ／Ｄ変換器（以下、Ａ／Ｄ変換部という）１４と、マイク１５とを備えている。子機１はまた、受信機能を実現するために、受信部１６と、ベースバンド処理部１７と、Ｄ／Ａ変換及び増幅器（以下、Ｄ／Ａ変換部という）１８と、スピーカ１９とを備えている。
【００２３】
子機１はさらに、各部の制御を行うコントローラ２０、受信時間を計測する計時部２５、通信モードなどを表示する表示部２６、及び通信モードなどの設定を入力する操作部２７を備える。
【００２４】
コントローラ２０は、子機１の動作の制御を行う。コントローラ２０は例えば、ＣＰＵ（中央処理装置）２１、Ｉ／Ｏ（入出力装置）２２、ＲＯＭ（読み出し専用メモリ）２４、ＲＡＭ（読み書き可能メモリ）２３、及びそれらを接続する内部バス（図示せず）を備えて構成される。
【００２５】
コントローラ２０には受信モードの切換タイミングを計るための計時部２５、表示部２６、操作部２７がＩ／Ｏ２２を介して接続されている。図２の複雑化を避け、理解を容易にするために、コントローラ２０から各部への信号線が省略されているが、コントローラ２０は送受信切換部１１、送信部１２、ベースバンド処理部１３、１７、Ａ／Ｄ変換部１４、受信部１６、Ｄ／Ａ変換部１８にＩ／Ｏ２２を介して接続しており、それらの処理の開始、終了、処理内容の制御を行う。
【００２６】
コントローラ２０が子機１の動作を制御するための制御プログラムは、ＲＯＭ２４に格納されている。そして、子機１が送信機として用いられる場合、コントローラ２０は、子機１が送信機として機能するよう制御する。また、ベースバンド処理部１３がデータ通信用のデータを送信部１２に出力する動作は、コントローラ２０の制御の下に行われる。
【００２７】
コントローラ２０のＲＡＭ２３には、子機１が送信する通信フレームを生成するためのデータが記憶される。例えば、ＲＡＭ２３は、通信フレームのヘッダ部を構成するためのデータである、プリアンブル、同期ワード（Sync Word：以下、ＳＷという）、無線情報チャネル（Radio Information CHannel：以下、ＲＩという）、低速付随制御チャネル（Slow Associated Control CHannel：以下、ＳＡＣＣＨという）、及び相手局側識別情報などを含むパラメータ情報（Parameter Information CHannel：以下、ＰＩＣＨという）などを記憶する。
【００２８】
また、コントローラ２０には、例えばＵＳＢ（Universal Serial Bus（ユニバーサルシリアルバス））インターフェースが接続されており、ＵＳＢインターフェースに接続される外部機器のデータがコントローラ２０に入力される。ＵＳＢインターフェースに外部機器としてパソコンを接続し、このパソコンにより子機１を制御することもできる。
【００２９】
計時部２５は、例えば、クロックパルスによってカウンタ値を減算し、カウンタの値が０になったときに割り込み出力を発生する、減算カウンタを用いることができる。カウンタにある値をセットすると、セットした数のクロックパルスをカウントして、ＣＰＵ２１に割り込みをかけることによって、一定の時間を計測することができる。
【００３０】
表示部２６は、ＣＲＴ（Cathode Ray Tube）、ＬＣＤ（Liquid Crystal Display）又はＬＥＤ（Light Emission Diode）などから構成され、子機１を指定する子機指定モードか、レピータ２を指定して呼び出すレピータ指定モードかの呼び出しモード、送信相手先の子機１又はレピータ２の状況、及び子機１のその他の情報を表示する。
【００３１】
操作部２７は、子機１の動作についての条件情報を入力するための入力手段にあたる。操作部２７には各種の操作キーが設けられている。すなわち、ユーザが、子機１の操作部２７の操作キーを操作して動作条件を入力することにより、その入力に基づく動作を子機１に行わせることができる。
【００３２】
操作部２７に対する操作の内容は、コントローラ２０により検出される。すなわち、コントローラ２０は、操作された操作キーの種類や、操作キーに対する操作の内容を検出する。そして、操作キーによって入力された内容を判別する。そして、コントローラ２０は、操作部２７により入力された内容に応じた動作を行うように、子機１を制御する。
【００３３】
なお、操作キーの操作の内容によっては、その操作によって入力された内容が表示部２６に表示される。例えば、操作部２７により、呼び出しを起動するレピータ２を選択する呼び出しレピータ選択が設定された場合、呼び出しを起動するレピータ２のリストが表示部２６に表示される。また、呼び出しを起動したレピータ２の状況を表示する。さらに、表示部２６には、ユーザに対する子機１の動作状態の報知や、ユーザに対する操作部２７による入力を促すメッセージ等が表示される。
【００３４】
ここで、子機１が、送信機として機能する場合のブロックについて説明する。子機１のユーザによる通話音はマイク１５により音声信号に変換され、この音声信号はＡ／Ｄ変換部１４に入力される。Ａ／Ｄ変換部１４に入力された音声信号は、増幅器により増幅された後、音声Ａ／Ｄ変換によりディジタル信号に変換される。ディジタル変換された信号はベースバンド処理部１３に入力される。ベースバンド処理部１３では、ディジタルデータにプリアンブル、フレーム同期信号（ＦＳ）、制御情報（ＣＣＨ）、ＰＩＣＨ等を付加して通信フレームに組み立てて、送信部１２に出力する。なお、ＰＩＣＨには、その子機１の識別符号（ＩＤ）が発ＩＤとして組み込まれ、送信先の子機１の識別符号が着ＩＤとして組み込まれる。
【００３５】
送信部１２は、入力された信号を変調する変調機能を備える。この子機１の例では、送信部１２が信号を変調する方式として、ＧＭＳＫ（Gaussian filtered Minimum Shift Keying）、ＰＳＫ（Phase Shift Keying）、ＱＡＭ（Quadrature Amplitude Modulation）又はＦＳＫ（Frequency Shift Keying）などが用いられる。送信部１２は、入力された音声信号及びデータ信号を、これらの変調方式により変調する処理を行う。
【００３６】
送信部１２は、前記変調する処理を行った信号を、送受信切換部１１に出力する。送受信切換部１１は、子機１が送信機として機能する場合、送信部１２より入力された信号をアンテナ１１Ａに導く回路が形成される。そして、送受信切換部１１に入力された信号は、アンテナ１１Ａに出力され、アンテナ１１Ａより子機１の相手方となるレピータ２の受信機へ送信される。
【００３７】
ベースバンド処理部１３は、通信プロトコルを実行するために、種々の制御信号を組み立てる。ベースバンド処理部１３の動作や送信部１２の送信の開始、終了、周波数の選択などは、コントローラ２０の制御によって行われる。プリアンブルとＳＷの長さ、ＲＩ、ＳＡＣＣＨ及びＰＩＣＨの内容の設定は、コントローラ２０の制御によって行われる。
【００３８】
次に、子機１が受信機として機能する場合のブロックについて説明する。受信機としての子機１には、レピータ２の送信機より呼び出し信号、通話音の音声信号又はデータ通信用のデータ信号が送信される。子機１に送信される信号は、通信フレームを構成している。
【００３９】
アンテナ１１Ａは、子機１に送信された無線信号を受信する。アンテナ１１Ａが受信した無線信号は、送受信切換部１１を経由して受信部１６に入力される。送受信切換部１１は、子機１が受信機として機能する場合、アンテナ１１Ａが受信した信号を受信部１６に導く回路が形成される。
【００４０】
受信部１６は、特定の周波数の電波を選択して受信するチューニング機能を備えている。受信部１６には、受信する無線信号の周波数帯域がコントローラ２０によって設定される。そして、受信部１６に設定された周波数のチャンネルの受信信号がアンテナ１１Ａより送受信切換部１１を通って受信部１６に入力される。
【００４１】
受信部１６で受信した信号は、ベースバンド処理部１７に入力され、ベースバンド処理部１７で各情報が抽出されてコントローラ２０に伝えられる。呼び出し信号の中のＰＩＣＨに、その子機１の識別符号（ＩＤ）が着ＩＤとして抽出された場合は、コントローラ２０は通信を開始する。
【００４２】
次に、レピータ２の構成を説明する。
図３は、レピータ２の構成例を示すブロック図である。
図３に示すレピータ２は、送信機能と受信機能を備える。受信機能は子機１がアップリンクで送信した信号を受信する。送信機能は、受信機で受信した信号又は、ネットワークＮから受信した信号をダウンリンクで送信する。
【００４３】
レピータ２は、図３に示すように送信機能を実現するために、アンテナ３０Ｓと、送信部３２と、ベースバンド処理部３３と、入力部３４とを備えている。レピータ２はまた、受信機能を実現するために、アンテナ３０Ｒと、受信部３６と、ベースバンド処理部３７と、出力部３５とを備えている。さらに、受信した信号をネットワークＮを経由して他のレピータ２に送信したり、他のレピータ２からネットワークＮを経由して信号を受信するネットワークインタフェース（以下、ネットワークＩ／Ｆ）３８を備えている。
【００４４】
レピータ２は、各部の制御を行うコントローラ４０、通信モードなどを表示する表示部４６、及び通信モードなどの設定を入力する操作部４７を備える。
【００４５】
コントローラ４０は、レピータ２の動作の制御を行う。コントローラ４０は例えば、ＣＰＵ（中央処理装置）４１、Ｉ／Ｏ（入出力装置）４２、ＲＯＭ（読み出し専用メモリ）４４、ＲＡＭ（読み書き可能メモリ）４３、及びそれらを接続する内部バス（図示せず）を備えて構成される。
【００４６】
コントローラ４０に、計時部４５、表示部４６及び操作部４７がＩ／Ｏ４２を介して接続されている。図３の複雑化を避け、理解を容易にするために、コントローラ４０から各部への信号線が省略されているが、コントローラ４０は送信部３２、ベースバンド処理部３３、３７、受信部３６、入力部３４、出力部３５及びネットワークＩ／Ｆ３８にＩ／Ｏ４２を介して接続しており、それらの処理の開始、終了、処理内容の制御を行う。
【００４７】
コントローラ４０がレピータ２の動作を制御するための制御プログラムは、ＲＯＭ４４に格納されている。そして、コントローラ４０は、アップリンクから受信した呼び出し起動信号に基づいて、呼び出し信号を送信部から送信したり、又はネットワークＮへ呼び出し起動信号を送信する制御を行う。また、コントローラ４０は、ネットワークＮから受信した呼び出し起動信号に応じて、呼び出し信号を送信部から送信するよう制御する。これらの制御のための情報は、ＲＡＭ４３に記憶される。
【００４８】
コントローラ４０のＲＡＭ４３には、レピータ２が送信する通信フレームを生成するためのデータが記憶される。例えば、ＲＡＭ４３は、通信フレームのヘッダ部を構成するためのデータである、プリアンブル、ＳＷ、ＲＩ、ＳＡＣＣＨ、及びＰＩＣＨなどの情報を記憶する。
更に、ＲＡＭ４３は、配下の子機１の識別情報を記憶すると共に、後述するブラックリストを記憶する。配下の子機１の識別情報は、レピータ２が配下の子機１同士の通信を中継する際に用いられ、配下の子機１間の折り返し通信が行われる。ブラックリストは、例えばレピータ２の電源投入時に管理サーバＳから与えられた識別情報で構成され、この識別符号に対応する子機１の通信が禁止される。
【００４９】
表示部４６は、ＣＲＴ（Cathode Ray Tube）、ＬＣＤ（Liquid Crystal Display）又はＬＥＤ（Light Emission Diode）などから構成され、レピータ２が子機１又はネットワークＮと通信を行っている通信状況などの情報を表示する。
【００５０】
操作部４７は、レピータ２の動作についての条件情報を入力するための入力手段である。操作部４７には各種の操作キーが設けられている。すなわち、オペレータが、レピータ２の操作部４７の操作キーを操作して動作条件を入力することにより、その入力に基づく動作をレピータ２に行わせることができる。例えば、ネットワークＮと接続したオンライン動作モード、ネットワークＮと接続しないスタンドアロン動作モードなどを選択する。
【００５１】
次に、管理サーバＳの構成例を説明する。
図４は、管理サーバＳの構成例を説明するブロック図である。
管理サーバＳは、例えば、ＣＰＵ（中央処理装置）５１、Ｉ／Ｏ（入出力装置）５２、ＲＯＭ（読み出し専用メモリ）５４、ＲＡＭ（読み書き可能メモリ）５３、ネットワークＩ／Ｆ５５及びそれらを接続する内部バス（図示せず）を備えて構成される。
【００５２】
管理サーバＳには、表示部５６、操作部５７がＩ／Ｏ５２を介して接続されている。また、ネットワークＩ／Ｆ５５がハブ３Ａを介してネットワークＮに接続されている。
【００５３】
管理サーバＳの制御するための制御プログラムは、ＲＯＭ５４に格納されている。そして、無線通信システム１０の制御のための情報は、ＲＡＭ５３に記憶される。
【００５４】
図５は、ＲＡＭ５３の記憶内容を示す図である。
ＲＡＭ５３には、各レピータ２毎の配下の子機１を示す配下情報テーブルが記憶される。この配下情報テーブルは、各レピータ２との定期的な更新を行うことにより、更新される。
【００５５】
ＲＡＭ５３には、さらに、２種類のブラックリストＢＬ１，ＢＬ２が記憶される。ブラックリストＢＬ１，ＢＬ２は、盗難にあった子機１等を示す識別符号で構成される。
ブラックリストＢＬ１，ＢＬ２は、管理者が操作部５７を用いて入力してもよいし、ネットワークＮを介して図示しないコンピュータからＷＥＢブラウザを利用して入力してもよい。
【００５６】
ブラックリストＢＬ１は、複数のレピータ２を介して通信が中継されることを防ぐためのものである。ブラックリストＢＬ２は、各レピータ２での折り返し通信を禁止するためのものである。例えば、図５のように、ブラックリストＢＬ１，ＢＬ２の両方に、識別符号が書き込まれた子機１Ｆは、レピータ２をまたいだ通信と、レピータ２での折り返し通信の両方が禁止される。図５のように、ブラックリストＢＬ１にのみ、識別符号が書き込まれた子機１Ａは、レピータ２をまたいだ通信が禁止されるが、レピータ２での折り返し通信は可能である。ブラックリストＢＬ２に識別符号が書き込まれていれば、その識別符号に対応する子機１を配下とするレピータ２に、ブラックリスト登録済み子機１として、識別符号が送信され、レピータ２のＲＡＭ４３のブラックリストに書き込まれる。
【００５７】
また、ＲＡＭ５３に記憶されるブラックリストは、ブラックリストＢＬ１，ＢＬ２の２種類でなく、１種類でもよい。この場合、通信を禁止する子機１の識別符号に、複数のレピータ２を介しての通信を禁止するか、各レピータ２での折り返し通信を禁止するかの制限レベルが対応付けて記憶される。各レピータ２での折り返し通信を禁止する制限レベルを持つ子機１の識別符号がブラックリストから抽出され、その識別符号に対応する子機１を配下とするレピータ２に、ブラックリスト登録済み子機１として識別符号が送信され、レピータ２のＲＡＭ４３のブラックリストに書き込まれる。
【００５８】
表示部５６は、ＣＲＴ（Cathode Ray Tube）、ＬＣＤ（Liquid Crystal Display）又はＬＥＤ（Light Emission Diode）などから構成され、通信を行っている通信状況などの情報を表示する。
【００５９】
操作部５７には、各種の操作キーが設けられている。すなわち、オペレータが、各種設定等を操作部４７の操作キーを操作して動作条件を入力することにより、その入力に基づく動作を管理サーバＳに行わせることができる。
【００６０】
次に、レピータ２及び管理サーバＳの動作を説明する。
レピータ２のアンテナ３０Ｒは、レピータ２に送信された無線信号を受信する。アンテナ３０Ｒが受信した無線信号は、受信部３６に入力される。受信部３６は、特定の周波数の電波を選択して受信するチューニング機能を備えている。受信部３６には、受信する無線信号の周波数帯域がコントローラ４０によって設定される。
【００６１】
受信部３６で受信した信号は、ベースバンド処理部３７に入力され、ベースバンド処理部３７で各情報が抽出されてコントローラ４０に伝えられる。呼び出し起動信号を受信し、その中から、着ＩＤ及び発ＩＤを抽出する。
【００６２】
レピータ２の配下の子機１のＩＤが発ＩＤとして抽出された場合は、コントローラ４０は、ＲＡＭ４３のブラックリストを確認し、ブラックリストにその子機１のＩＤが示されていれば、通信フレームを破棄する。ブラックリストにその子機１のＩＤが示されていなければ、着ＩＤが配下の子機１か否かを判断する。レピータ２の配下の子機１のＩＤが着ＩＤとなっている場合は、コントローラ４０は、ＲＡＭ４３のブラックリストを確認し、ブラックリストにその子機１のＩＤが示されていれば、送信先不明を示す情報を送信元の子機１に通知し、ブラックリストにその子機１のＩＤが示されていなければ、その子機１に呼び出し信号の送信を開始する。
【００６３】
着ＩＤが配下の子機１でなく、他のレピータ２の配下の子機１の場合、レピータ２のコントローラ４０は、管理サーバＳに着ＩＤ及び発ＩＤを提示して問い合わせを行う。
【００６４】
管理サーバＳは、着ＩＤ或いは発ＩＤに対応する識別符号がブラックリストＢＬ１に含まれているか否かを検出する。発ＩＤに対応する識別符号がブラックリストＢＬ１に含まれている場合、管理サーバＳは、問い合わせ元のレピータ２に、「応答異常」であることを通知する。管理サーバＳから「応答異常」の通知を受け取ったレピータ２は、送信元である自分の配下にある子機１がブラックリストＢＬ１に登録されている子機１であると判断し、通信フレームを破棄する。
【００６５】
着ＩＤに対応する識別符号がブラックリストＢＬ１に含まれており、発ＩＤに対応する識別符号はブラックリストＢＬ１に含まれていない場合、管理サーバＳは、問い合わせ元のレピータ２に、「送信先不明」であることを通知する。管理サーバＳから「送信先不明」の通知を受け取ったレピータ２は、送信元である自分の配下の子機１に対して「送信先不明」と通知する。
ＲＡＭ５３が１種類のブラックリストを記憶している場合は、着ＩＤ或いは発ＩＤが複数のリピータ２を介しての通信を禁止する制限レベルであるか否かを照合し、上述と同じ動作を行う。
【００６６】
着ＩＤ及び発ＩＤがブラックリストＢＬ１に含まれていない場合、管理サーバＳは、配下情報テーブルから着ＩＤに対応する子機１を配下とするレピータ２を検出し、送信先のネットワークアドレスを、「応答正常」であることを示す情報と共にレピータ２に通知する。これらを受け取ったレピータ２は、受信部３６で受信した信号にネットワークアドレスを付して、他のレピータ２に送信する。
【００６７】
受信した信号を他のレピータ２に送信する場合は、出力部３５及びネットワークＩ／Ｆ３８を介して、ハブ３Ａ，３Ｂ及びネットワークＮに送信する。
受信部３６で受信した信号を、そのレピータ２の通信範囲に無線送信する場合、ベースバンド処理部３７からベースバンド処理部３３にデータが送られる。ベースバンド処理部３３では、データにプリアンブル、ＳＷ、ＲＩなどを付加して送信フレームに組み立てて、送信部３２に出力する。
【００６８】
送信部３２は、入力された信号を変調する変調機能を備える。この子機１の例では、送信部３２が信号を変調する方式として、ＧＭＳＫ（Gaussian filtered Minimum Shift Keying）、ＰＳＫ（Phase Shift Keying）、ＱＡＭ（Quadrature Amplitude Modulation）又はＦＳＫ（Frequency Shift Keying）などが用いられる。送信部３２は、入力された音声信号及びデータ信号を、これらの変調方式により変調する処理を行う。
【００６９】
送信部３２は、前記変調する処理を行った信号を、アンテナ３０Ｓに出力し、アンテナ３０Ｓより子機１の受信機へ送信される。
【００７０】
ベースバンド処理部３３は、通信プロトコルを実行するために、種々の制御信号を組み立てる。ベースバンド処理部３３の動作や送信部３２の送信の開始、終了、周波数の選択などは、コントローラ４０の制御によって行われる。プリアンブルとＳＷの長さ、ＲＩ、ＳＡＣＣＨ及びＰＩＣＨの内容の設定は、コントローラ４０の制御によって行われる。
【００７１】
ネットワークＮ及びハブ３Ａ，３ＢからネットワークＩ／Ｆ３８を介して受信した信号は、入力部３４でデータが抽出されてコントローラ４０に送られる。ネットワークＮ及びハブ３Ａ，３Ｂから受信した信号を、レピータ２の通信エリアに送信する場合、ネットワークＩ／Ｆ３８で受信したデータは、入力部３４からベースバンド処理部３３に送られる。ベースバンド処理部３３は送信信号に組み立てて、送信部３２から送信する。
【００７２】
ネットワークＮ及びハブ３Ａ，３ＢからネットワークＩ／Ｆ３８を介して呼び出し起動信号を受信し、その中に、そのレピータ２の配下の子機１のＩＤが着ＩＤとして含まれる場合は、コントローラ４０は、その子機１に呼び出し信号の送信を開始する。
【００７３】
以上のように、本実施形態の無線通信システム１０では、ブラックリストＢＬ１，ＢＬ２を使用し、子機１間の通信を段階的に制限することができる。即ち、他のすべての子機１に通信が可能な子機１のほかに、一切の通信が禁止される子機１と、レピータ２を用いた折り返し通信が可能な子機１とを設定することができる。
【図面の簡単な説明】
【００７４】
【図１】本発明の実施形態に係る無線通信システムを示す構成図である。
【図２】子機の構成例を示すブロック図である。
【図３】レピータの構成例を示すブロック図である。
【図４】管理サーバの構成例を説明するブロック図である。
【図５】管理サーバのＲＡＭの記憶内容を示す図である。
【符号の説明】
【００７５】
１，１Ａ〜１Ｆ      無線通信装置
２，２Ａ〜２Ｄ      レピータ
３Ａ，３Ｂ          ハブ
Ｎ                  ネットワーク
Ｓ                  管理サーバ
１１                送受信切替部
１２，３２          送信部
１３，３３          ベースバンド処理部
１６，３６          受信部
１７，３７          ベースバンド処理部
２０，４０          コントローラ
２１，４１，５１    ＣＰＵ
２２，４２，５２    Ｉ／Ｏ
２３，４３，５３    ＲＡＭ
２４，４４，５４    ＲＯＭ
２５                計時部
２７，４７，５７    操作部
３４                入力部
３５                出力部
３８，５５          ネットワークＩ／Ｆ
【図１】
2007295133.tif 000003
【図２】
2007295133.tif 000004
【図３】
2007295133.tif 000005
【図４】
2007295133.tif 000006
【図５】
2007295133.tif 000007